(57)【要約】【課題】複数の種類の美容処理を単一の装置で実現するトリートメント装置の提供。【解決手段】本発明のトリートメント装置１は、ユーザが手で持つハンドリング部３を有するケーシング２と、このケーシング２に固定された単一のヘッド５と、ヘッド５を複数の種類の振動周波数で振動させることの可能なヘッド振動機構１８と、ヘッド振動機構１８を通じて振動させるヘッド５の振動周波数を複数の種類の振動周波数の中から選択する入力操作部１０とを備える。【選択図】図１
2007209533.tif 000002
【特許請求の範囲】
【請求項１】
把持部を有する筐体と、
前記筐体に固定されたヘッドと、
前記ヘッドを複数の種類の振動周波数で振動させることの可能なヘッド振動機構と、
前記ヘッド振動機構を通じて振動させる前記ヘッドの振動周波数を前記複数の種類の振動周波数の中から選択する振動選択機構と、
を具備することを特徴とするトリートメント装置。
【請求項２】
前記ヘッド振動機構は、前記ヘッドを複数の種類の振動強度で振動させることが可能であって、
さらに、前記振動選択機構は、前記ヘッド振動機構を通じて振動させる前記ヘッドの振動強度を前記複数の種類の振動強度の中から選択することを特徴とする請求項１記載のトリートメント装置。
【請求項３】
把持部を有する筐体と、
前記筐体に固定された複数のヘッドと、
前記複数のヘッドを互い異なる周波数で振動させるヘッド振動機構と、
を具備することを特徴とするトリートメント装置。
【請求項４】
前記ヘッド振動機構は、前記複数のヘッドを互いに異なる振動強度で振動させることを特徴とする請求項３記載のトリートメント装置。
【請求項５】
前記ヘッド振動機構は、互いに異なる帯域の周波数で振動する振動源となる複数の種類の振動子を備えることを特徴とする請求項１ないし４のいずれか１項に記載のトリートメント装置。
【請求項６】
前記複数の種類の振動子には、ほぼ１ＭＨｚの帯域で振動する振動源となるものと、ほぼ５ＭＨｚの帯域で振動する振動源となるものと、が少なくとも含まれることを特徴とする請求項５記載のトリートメント装置。
【請求項７】
前記ヘッド振動機構は、前記複数のヘッドのうちの少なくとも一つを選択的に振動させることを特徴とする請求項３ないし６のいずれか１項に記載のトリートメント装置。
【請求項８】
前記ヘッド振動機構は、前記複数のヘッドを同時に振動させることを特徴とする請求項３ないし７のいずれか１項に記載のトリートメント装置。
【請求項９】
前記複数のヘッドは、前記筐体における所定の一主面上に設けられていることを特徴とする請求項３ないし８のいずれか１項に記載のトリートメント装置。
【請求項１０】
前記複数のヘッドは、皮膚面に接触させるようにして用いられ、
さらに、前記ヘッド振動機構により振動を付与されるこれらのヘッドは、相対的に、低い周波数で振動するヘッドが、高い周波数で振動するヘッドよりも、皮膚面への接触面積が大きいことを特徴とする請求項３ないし９のいずれか１項に記載のトリートメント装置。
【発明の詳細な説明】
【技術分野】
【０００１】
本発明は、美肌や痩身などの美容処理を施すためのトリートメント装置に関する。
【背景技術】
【０００２】
超音波振動子が内蔵された皮膚面接触用のプローブと超音波振動子に高周波のパルス電流を供給するパルス発生回路とを備え、この超音波振動させたプローブによって皮膚面を刺激することで、美容処理を実現する美容処理装置が提案されている（例えば、特許文献１参照）。
【０００３】
この種の美容処理装置によって、顔や手脚の皮膚面に対し超音波振動を付与することで、皮膚表層の殺菌作用、毛穴に付着した皮脂や化粧液の残留物などを除去する清浄化作用、皮膚表層の血行を促進し皮膚組織を活性化させることや筋肉の緊張を解してシミ、シワを除去する作用など、各種美肌効果を発揮する。
【０００４】
また、このような美容処理装置を通じて、身体の贅肉部分に超音波振動を供給することで、皮膚の深層部を発熱させて皮下脂肪を分解する痩身効果が発揮される。分解された皮下脂肪は、老廃物となって血管やリンパ管に吸収されて消滅する。
【特許文献１】特許第３３１２１１２号公報
【発明の開示】
【発明が解決しようとする課題】
【０００５】
ところで、上述した美肌効果を好適に得るためには、比較的高い周波数の超音波振動を皮膚面に供給することが望ましく、また、その超音波振動を比較的小さい強度で皮膚面に与えることが効果的である。一方、痩身効果を好適に得るためには、比較的低い周波数の超音波振動を皮膚面に供給することが好ましく、さらに、その超音波振動を比較的大きい強度で皮膚面に付与することが有効である。
【０００６】
そこで、美肌トリートメントや痩身トリートメントを含む複数の種類の美容処理を単一のトリートメント装置で容易に実現することへの要請が高まっている。
【０００７】
本発明は、このような課題を解決するためになされたもので、例えば振動ヘッドの付替え作業などを伴うことなく、複数の種類のトリートメントを単一の装置で実現するトリートメント装置の提供を目的とする。
【課題を解決するための手段】
【０００８】
上記目的を達成するために、本発明に係るトリートメント装置は、把持部を有する筐体と、前記筐体に固定されたヘッドと、前記ヘッドを複数の種類の振動周波数で振動させることの可能なヘッド振動機構と、前記ヘッド振動機構を通じて振動させる前記ヘッドの振動周波数を前記複数の種類の振動周波数の中から選択する振動選択機構と、を具備することを特徴とする。
また、本発明に係るトリートメント装置は、把持部を有する筐体と、前記筐体に固定された複数のヘッドと、前記複数のヘッドを互いに異なる周波数で振動させるヘッド振動機構と、を具備することを特徴とする。
【０００９】
本発明では、ユーザが筐体を把持（ハンドリング）しつつ複数の中から選択した周波数で振動するヘッドを皮膚面に接触させることで、ユーザが所望とする美容処理効果を得ることができる。すなわち、この発明によれば、複数の種類のトリートメントを単一の装置で実現することができる。
【００１０】
また、本発明においては、ヘッドの振動強度の切替機能をトリートメント装置に持たせるようにしてもよい。これにより、例えば美肌トリートメントの場合、比較的低い振動強度でヘッドを振動させ、一方、痩身トリートメントの場合、比較的高い振動強度でヘッドを振動させることなどが可能となり、それぞれのトリートメント効果の向上を図ることができる。
【００１１】
さらに、本発明のトリートメント装置では、前記ヘッド振動機構は、前記複数のヘッドを同時に振動させるものであってもよい。このトリートメント装置よれば、振動周波数の異なる複数の種類の振動を皮膚面に同時に付与することができるので、種類の異なる振動がそれぞれ皮膚面に与える相乗的な美容処理効果を得ることが可能となる。
【発明の効果】
【００１２】
このように、本発明によれば、例えば振動ヘッドの付替え作業などを伴うことなく、複数の種類のトリートメントを単一の装置で実現するトリートメント装置を提供することができる。
【発明を実施するための最良の形態】
【００１３】
以下、本発明を実施するための最良の形態を図面に基づき説明する。
（第１の実施の形態）
図１は、本発明の第１の実施形態に係るトリートメント装置を示す正面図、図２は、このトリートメント装置の側面図、図３は、このトリートメント装置が備えるヘッドの内部構造を示すＡ−Ａ断面図、図４は、このトリートメント装置の制御系を機能的に示すブロック図である。
【００１４】
図１〜図４に示すように、本実施形態のトリートメント装置１は、主に顔面（フェイス）に美容処理を施す美肌トリートメントと身体（ボディ）部分の皮下脂肪を除去する痩身トリートメントとを一台の装置で行えるハンディタイプの美容処理装置である。すなわち、このトリートメント装置１は、ユーザが手で持つハンドリング部（把持部）３を有する筐体としてのケーシング２と、このケーシング２に固定された単一のヘッド５と、ヘッド５を複数の種類の振動周波数で振動させることの可能なヘッド振動機構１８と、ヘッド振動機構１８を通じて振動させるヘッド５の振動周波数を複数の種類の振動周波数の中から選択する振動選択機構として機能する入力操作部１０とを備える。
【００１５】
ケーシング２は、図１、図２に示すように、ある程度の厚みを持たせるようにして円柱状の部材をその径方向に押しつぶした形状を有する。ヘッド５は、痩身トリートメントを行う際にその対象の皮膚面（肌面）に接触させて使用するボディ用のヘッド、及び美肌トリートメントを行う際にその対象の皮膚面（肌面）に接触させて用いるフェイス用のヘッドとしての二種類の機能を有する。また、上述したハンドリング部３は、トリートメント装置１（ケーシング２）の一端部に設けられており、ヘッド５は、トリートメント装置１の他端部のケーシング２の前面に固定されている。また、このトリートメント装置１では、ハンドリング部３を手で持つユーザが皮膚面にヘッド５を接触させ易くするために、ヘッド５は、僅かに反り返った姿勢でケーシング２の他端部に設けられている。
【００１６】
また、ケーシング２の前面には、ユーザが入力操作を行うための上記した入力操作部１０が設けられている。この入力操作部１０には、主電源のＯＮ／ＯＦＦを行う電源ボタン１１と、ヘッド５をボディに対する痩身トリートメントのための用途で振動させる痩身ボタン１２と、ヘッド５を顔面などに対する美肌トリートメントのための用途で振動させる美肌ボタン１５と、とが用意されている。また、入力操作部１０には、ヘッド５内の後述する超音波振動子５ａ、５ｂなどを例えば同時に振動させる同時振動ボタン１４なども設けられている。
【００１７】
さらに、ヘッド５には、圧電セラミックなどからなる上述した超音波振動子５ａ、５ｂが内蔵されている。ヘッド５の皮膚面に接触させるべき平坦な先端部分は、振動体によって覆われている。振動体の平坦な先端部分は、直接又は専用のジェル等を介して皮膚面に接触させるための部位となる。ここで、振動体の構成材料としては、弾力性のあるステンレス鋼板や銅板、あるいは軽量硬質のアルミ、チタン、ジュラルミンなどの金属で構成され且つその表面にハードクロムメッキなどの表面処理を施した金属材料などが例示される。また、ヘッド５の本体部分は、電気的絶縁性を有し、弾性を持つ合成樹脂などで形成されており、振動体を機械的に絶縁するとともに、振動体の振動を拘束しないように構成されている。
【００１８】
次に、トリートメント装置１の制御系について主に図３に基づきその説明を行う。
すなわち、トリートメント装置１は、ヘッド５内の超音波振動子５ａを振動させるための高周波出力を発振するフェイス用発振回路２１と、ヘッド５内の超音波振動子５ｂを振動させるための高周波出力を発振するボディ用発振回路２２と、入力操作部１０から入力される情報に基づいてこれらの発振回路の動作を制御するコントローラ２３とを備える。
【００１９】
フェイス用発振回路２１は、比較的高い周波数、例えば５ＭＨｚ付近の帯域の高周波信号を発振し、その発振出力を比較的低出力、例えば超音波振動子５ａに対し０．１〜０．３Ｗ／ｃｍ2程度の出力信号として発振する。一方、ボディ用発振回路２２は、比較的低い周波数、例えば１ＭＨｚ付近の帯域の高周波信号を発振し、その発振出力を比較的高出力、例えば超音波振動子５ｂに対し０．４〜０．８Ｗ／ｃｍ2程度の出力信号として発振する。
【００２０】
すなわち、このような構成のトリートメント装置１では、美肌トリートメントを行う場合、ヘッド５を通じて比較的高い周波数の超音波振動が小さい振動強度で皮膚面に供給される。一方、痩身トリートメントを行う場合、ヘッド５を通じて比較的低い周波数の超音波振動を大きい振動強度で皮膚面に付与することができる。これにより、所望とするトリートメントの種類に応じた美容処理を好適に行うことができる。
【００２１】
次に、トリートメント装置１のフェイス用発振回路２１及びボディ用発振回路２２が有する高周波信号の発振出力の可変機能について説明する。ここで、図５は、フェイス用発振回路２１及びボディ用発振回路２２の出力電圧波形を示している。
すなわち、同図５に示すように、フェイス用発振回路２１及びボディ用発振回路２２は、高周波信号の発振出力を時間の経過とともに連続的に変化させる。これにより、肌の活性化を低下させる要因になる、いわゆるキャビテーション（活性酸素の発生により誘起される細胞の空洞化現象）の発生を抑えることができるので、肌の表皮から深部まで超音波振動を供給することができ、脂肪太りや浮腫みなどを抑制する効果的なトリートメントを行うことができる。また、高周波信号の発振出力を時間の経過とともに間欠的に変化させるように高周波信号発生回路を構成してもよい。これにより、上記同様、キャビテーションの発生を抑制することができる。
【００２２】
次に、このように構成されたトリートメント装置１により、実際に美肌トリートメントを行う場合には、クリームやジェル等の媒体をトリートメントの対象部位やヘッド５の表面に塗布し超音波の伝搬効率を高めることが望ましい。美肌ボタン１５を押してヘッド５のほぼ５ＭＨｚの超音波振動が開始したら、ヘッド５の先端面を皮膚面に対して軽く押し当て、皮膚面に密着させながらゆっくり円を描くように皮膚面に沿ってヘッド５を移動させる。これにより、比較的高い周波数で、しかも小さい振動強度の超音波振動波が皮膚面を叩くように作用し、皮膚表層を殺菌して老廃物や角質層等が剥離され、さらに、ニキビ、毛穴の油、汚れ、化粧残り等が除去されて肌面が清浄化される。また、表皮に近い部分（浅い部分）、つまり皮膚表層の血行が促されて組織が活性化し、さらには筋肉の緊張をほぐして皮膚のシミ、シワ、たるみ等を除去する美肌効果が得られる。
【００２３】
一方、痩身トリートメントを行う場合にも、同様にクリームやジェルなどの媒体をトリートメントの対象部位やヘッド５の表面に塗布し超音波の伝搬効率を高めることが好ましい。痩身ボタン１２を押してほぼ１ＭＨｚの超音波振動が開始したら、ヘッド５の表面を皮膚面に対して軽く押し当て、密着させながらゆっくり円を描くように皮膚面に沿ってヘッド５を移動させる。これにより、比較的低い周波数でしかも大きい振動強度の超音波振動波が皮膚面を叩くように作用するので、皮膚の深層部が発熱して皮下脂肪が分解し除去される。
【００２４】
既述したように、本実施形態のトリートメント装置１では、ユーザがケーシング２を把持しつつ、痩身用又は美肌用にそれぞれ適する周波数及び振動強度で振動させたヘッド５を皮膚面に接触させることで、ユーザが所望とする美容処理効果を得ることができる。したがって、本実施形態のトリートメント装置１によれば、複数の種類のトリートメントを単一の装置で実現することができる。
【００２５】
なお、上記したトリートメント装置１では、ハンドリング部３を手で持つユーザが皮膚面にヘッド５を接触させ易くするために、ヘッド５を僅かに反り返った姿勢でケーシング２の他端部に設けていたが、これ代えて、図６及び図７に示すように、形状の簡易化を図ったケーシング３２を有するトリートメント装置３１を本発明の装置として適用してもよい。
【００２６】
また、図８に示すように、ケーシング４２の前面の、当該ケーシング４２の長手方向と直交する方向に美肌トリートメント用（フェイストリートメント用）の超音波振動子４５ａ及び痩身トリートメント用（ボディトリートメント用）の超音波振動子４５ｂが並べて配置（が並んだ状態で内蔵）されたヘッド４５を備えるトリートメント装置４１を本発明として適用することも可能である。
【００２７】
さらに、図９の斜視図及び図１０の側面図に示すトリートメント装置７１を本発明に適用してもよい。このトリートメント装置７１は、図１０に示すように、皮膚面に接触させるべきヘッド５の先端面の位置よりも、ハンドリング部７３の位置が窪んだ位置になるように、ケーシング７２のハンドリング部７３が、側面方向からみて湾曲した形状で形成されている。
【００２８】
したがって、このトリートメント装置７１によれば、皮膚面に接触させるヘッド５の位置よりも、ハンドリング部７３を保持するユーザの手の位置が、皮膚面から遠ざかる方向に位置することになるので、例えば腹部などの比較的面積の広い部位をトリートメントする場合でも、トリートメントの対象部分とヘッド５との接触がユーザの手によって妨げられることなどを回避することができ、これにより美容処理を好適に行うことができる。
【００２９】
（第２の実施の形態）
次に、本発明の第２の実施形態を図１１〜図１４に基づき説明する。
ここで、図１１は、本発明の第２の実施形態に係るトリートメント装置を示す斜視図、図１２は、図１１に示すトリートメント装置の側面図である。また、図１３は、図１１及び図１２のトリートメント装置とヘッド部分の構成が異なる他のトリートメント装置を示す斜視図、図１４は、図１３に示すトリートメント装置の側面図である。なお、図１１〜図１４において、第１の実施形態のトリートメント装置に設けられていたものとほぼ同一の構成要素については、同一の符号を付与しその説明を省略する。
【００３０】
図１１及び図１２に示すように、この実施形態に係るトリートメント装置５１は、第１の実施形態のトリートメント装置１のヘッド５に代えて、美肌トリートメント専用（フェイストリートメント専用）のヘッド５７及び痩身トリートメント専用（ボディトリートメント専用）のヘッド５５を備える。ヘッド５５及びヘッド５７には、それぞれの用途に応じた振動源となる超音波振動子５５ａ及び５７ａが内蔵されている。
【００３１】
ヘッド５５及びヘッド５７は、ケーシング５２における所定の一主面上、つまりケーシング５２の前面に全て設けられている。詳細には、ヘッド５５及びヘッド５７は、ケーシング２の一端部側の前面に設けられており、ケーシング２の長手方向に沿って並べて配置されている。二つのヘッドのうち、ヘッド５５が、ケーシング２のより先端部側に配置されている。
【００３２】
このように配置されたヘッド５５及びヘッド５７を備えるトリートメント装置５１では、同時振動ボタン１４を通じて同時に振動させたヘッド５５及びヘッド５７によって、振動周波数の異なる複数の種類の超音波振動を、互いに近接する同一の皮膚面に同時に付与することができる。これにより、種類の異なる振動がそれぞれ皮膚面に与える相乗的な美容処理効果を得ることが可能となる。
【００３３】
また、図１３及び図１４に示すトリートメント装置６１においては、美肌トリートメント専用（フェイストリートメント専用）のヘッド６７は、共振周波数（固有振動数）が高くなるように、比較的小さいサイズで形成され、皮膚面との接触面積も小さくなっている。一方、痩身トリートメント専用（ボディトリートメント専用）のヘッド５５は、共振周波数（固有振動数）が低くなるように、比較的大きいサイズ（ヘッド６７よりも大きいサイズ）で形成され、皮膚面との接触面積も大きく（ヘッド６７よりも大きく）なっている。ヘッド５５及びヘッド６７は、それぞれの用途に応じた振動源となる超音波振動子５５ａ及び６７ａが内蔵されている。ここで、上記したように共振周波数（固有振動数）を設定する場合、個々のヘッド材料の硬度を適宜変更するようにしてもよい。
【００３４】
すなわち、トリートメント装置６１では、比較的高い周波数の超音波振動を付与することが効果的で且つ額、鼻部、頬等の狭い領域で凹凸変化の激しい美肌対象部分（フェイス部分）に小さいサイズのヘッド６７を必然的に適用できる。一方、比較的低い周波数の超音波振動を付与することが効果的で且つ皮下脂肪を除去するための処理面積の広い痩身対象部分（ボディ部分）に大サイズのヘッド５５を適用できる。
【００３５】
さらに、トリートメント装置６１では、ヘッド５５は、ケーシング２の前面に固定されており、ヘッド６７は、ケーシング２の前面と直交する面を形成するケーシング２の上面（上端面）に固定されている。これにより、入力操作部１０の同時振動ボタン１４を押して、例えばヘッド６７を顎の底部に接触させ、かつヘッド５５を首筋に接触させることなどで、顎の底部の痩身トリートメントと首筋の美肌トリートメントとを同時に行うことができ、これにより美容処理の効率化を図ることができる。
【００３６】
以上、本発明を各実施の形態により具体的に説明したが、本発明はこれらの実施形態にのみ限定されるものではなく、その要旨を逸脱しない範囲で種々変更可能である。例えば、上述した各実施形態のトリートメント装置では、異なる周波数で振動する二つのヘッドを備えていたが、これに代えて、互いに異なる周波数で振動する三つ以上のヘッドを筐体に設けてもよい。
【図面の簡単な説明】
【００３７】
【図１】本発明の第１の実施形態に係るトリートメント装置を示す斜視図。
【図２】図１に示すトリートメント装置の側面図。
【図３】図１のトリートメント装置が備えるヘッドの内部構造を示すＡ−Ａ断面図。
【図４】図１のトリートメント装置の制御系を機能的に示すブロック図。
【図５】図１のトリートメント装置が備えるボディ用／フェイス用の発振回路の出力電圧波形を示す図。
【図６】本発明の第１の実施形態において、図１に示すトリートメント装置とヘッド部分の構成が異なる他のトリートメント装置を示す斜視図。
【図７】図６に示すトリートメント装置の側面図。
【図８】本発明の第１の実施形態において、図１及び図６のトリートメント装置とヘッド部分の構成が異なる他のトリートメント装置を示す斜視図。
【図９】本発明の第１の実施形態において、図１、図６及び図８のトリートメント装置とケーシングの構成が異なる他のトリートメント装置を示す斜視図。
【図１０】図９に示すトリートメント装置の側面図。
【図１１】本発明の第２の実施形態に係るトリートメント装置を示す斜視図。
【図１２】図１１に示すトリートメント装置の側面図。
【図１３】本発明の第２の実施形態において、図１３のトリートメント装置とヘッド部分の構成が異なる他のトリートメント装置を示す斜視図。
【図１４】図１３に示すトリートメント装置の側面図。
【符号の説明】
【００３８】
１，３１，４１，５１，６１，７１…トリートメント装置、２，３２，４２，５２，７２…ケーシング、３，７３…ハンドリング部、５，４５，５５，５７，６７…ヘッド、５ａ，５ｂ，４５ａ，４５ｂ，５５ａ，５７ａ，６７ａ…超音波振動子、１０…入力操作部、１８…ヘッド振動機構、２１…フェイス用発振回路、２２…ボディ用発振回路、２３…コントローラ。
【図１】
2007209533.tif 000003
【図２】
2007209533.tif 000004
【図３】
2007209533.tif 000005
【図４】
2007209533.tif 000006
【図５】
2007209533.tif 000007
【図６】
2007209533.tif 000008
【図７】
2007209533.tif 000009
【図８】
2007209533.tif 000010
【図９】
2007209533.tif 000011
【図１０】
2007209533.tif 000012
【図１１】
2007209533.tif 000013
【図１２】
2007209533.tif 000014
【図１３】
2007209533.tif 000015
【図１４】
2007209533.tif 000016